(57)【要約】【課題】  突き破り解錠を阻止できるクレセント錠を提供する。【解決手段】  クレセント錠１は、引き違いサッシ７の室内側サッシ７１に取り付けられ、サッシ面に平行な水平軸Ｌを中心に回動して施錠時に垂直上方または垂直下方を向くハンドル１１１を有するクレセント錠本体１１と、引き違いサッシ７の室内側サッシ７１に固定され、クレセント錠本体１１を軸支する基台１３と、引き違いサッシ７の室外側サッシ７２に取り付けられ、施錠時にクレセント錠本体１１のクレセント爪１１２が係合されるクレセント受け１２と、施錠時にハンドル１１１の室外側に位置するように、室外側サッシ７２、室内側サッシ７１、基台１３の内の何れか一つに設けられた室外側からの突き破り解錠を阻止するための突き破り阻止板１４とを備える。【選択図】    図１
2006083599.tif 000002
【特許請求の範囲】
【請求項１】
引き違いサッシの室内側サッシに取り付けられ、サッシ面に平行な水平軸を中心に回動して施錠時に垂直上方または垂直下方を向くハンドルを有するクレセント錠本体と、
前記引き違いサッシの室内側サッシに固定され、前記クレセント錠本体を軸支する基台と、
前記引き違いサッシの室外側サッシに取り付けられ、施錠時に前記クレセント錠本体のクレセント爪が係合されるクレセント受けと、
施錠時に前記ハンドルの室外側に位置するように、前記室外側サッシ、前記室内側サッシ、前記基台の内の何れか一つに設けられた室外側からの突き破り解錠を阻止するための突き破り阻止板と、
を備えていることを特徴とするクレセント錠。
【請求項２】
引き違いサッシの室内側サッシに取り付けられ、サッシ面に平行な水平軸を中心に回動して施錠時に垂直上方または垂直下方を向くハンドルを有するクレセント錠本体と、
前記引き違いサッシの室内側サッシに固定され、前記クレセント錠本体を軸支する基台と、
前記引き違いサッシの室外側サッシに取り付けられ、施錠時に前記クレセント錠本体のクレセント爪が係合されるクレセント受けと、
施錠時に前記ハンドルの室外側に位置するように前記クレセント受けと一体的に設けられた室外側からの突き破り解錠を阻止するための突き破り阻止板と、
を備えていることを特徴とするクレセント錠。
【請求項３】
引き違いサッシの室内側サッシに取り付けられ、サッシ面に平行な水平軸を中心に回動して施錠時に垂直上方または垂直下方を向くハンドルを有するクレセント錠本体と、
前記引き違いサッシの室外側サッシに取り付けられ、施錠時に前記クレセント錠本体のクレセント爪が係合されるクレセント受けと、
施錠時に前記ハンドルの室外側に位置するように前記室内側サッシに取り付けられ、室外側からの突き破り解錠を阻止する突き破り阻止筒体と、
前記突き破り阻止筒体が取り付けられ、前記突き破り阻止筒体を上下方向に摺動させる筒体摺動部材と、
を備えていることを特徴とするクレセント錠。
【請求項４】
引き違いサッシの室内側サッシに取り付けられ、サッシ面に平行な水平軸を中心に回動して施錠時に垂直上方または垂直下方を向くハンドルを有するクレセント錠本体と、
前記引き違いサッシの室外側サッシに取り付けられ、施錠時に前記クレセント錠本体が係合されるクレセント受けとを備えたクレセント錠であって、
前記ハンドルは、施錠時に当該ハンドル先端を押し下げて開錠方向に付勢したときは前記クレセント錠本体とともに回動し、前記係合を解除し、
施錠時に当該ハンドル先端を押し下げずに開錠方向に付勢したときは当該ハンドルが根元から屈折し、前記係合を解除しないことを特徴とするクレセント錠の解除規制方法。
【発明の詳細な説明】
【技術分野】
【０００１】
本発明は、引き違いサッシの施錠を行うクレセント錠に関し、具体的には突き破り解錠を阻止できるクレセント錠及びクレセント錠の解除規制方法に関する。
【背景技術】
【０００２】
図２１に示されるように、引き違いサッシ（すなわち、引き違いドアまたは窓（図２１では引き違いドア７）は、通常、室内側サッシ７１および室外側サッシ７２とからなり、施錠にはクレセント錠６が用いられる。
【０００３】
従来、クレセント錠として、特開２００３−０９７１１８に記載のもの等、種々のものが知られているが、一般的には、図２２（図２１のα部の拡大図）に示すように、クレセント錠６は、クレセント錠本体６１と、クレセント受け６２と、基台６３とからなる。クレセント錠本体６１は室内側サッシ７１の縦枠体７１１に取り付けられ、クレセント受け６２は室外側サッシ７２の縦枠体７２１に取り付けられる。室内側サッシ７１や室外側サッシ７２には、樹脂積層ガラス板８が取り付けられている。
【０００４】
クレセント錠本体６１は、基台６３に取り付けられており、サッシ面（サッシを構成する枠面に平行な面）に平行な水平軸Ｌを中心に回動して施錠時に垂直上方を向くハンドル６１１と、クレセント受け６２に係合されるクレセント爪６１２とを備えている。
【０００５】
基台６３には、ロック用のスライドボタン６３１が設けられており、このスライドボタン６３１をロック側にスライドさせることにより、施錠時にハンドル６１１の回動がロックされる。
【特許文献１】特開２００３−０９７１１８
【発明の開示】
【発明が解決しようとする課題】
【０００６】
ところで、室内側サッシ７１や室外側サッシ７２に取り付けられている樹脂積層ガラス板８は、図２３（Ａ）に示すように、両面側のガラス層ＧＬ１、ＧＬ２と樹脂中間層ＰＬとからなり、ガラス層ＧＬ、ＧＬが割られたとしても樹脂中間層ＰＬがあるため、通常は、樹脂積層ガラス板８に穴が開くことはない。
【０００７】
しかし、図２３（Ｂ）に示すように、ドライバーや千枚通し等（図２３（Ｂ）ではドライバーK）により孔を開けることは容易であり、この穴からドライバーＫによりハンドル６１１を簡単に回すことができ（すなわち、突き破り解錠が容易であり）、空き巣等の室内への侵入を難なく許してしまう。
【０００８】
また、スライドボタン６３１によりハンドル６１１をロックしてあったとしても、ハンドル６１１を強く押すことでロックが解除されこともあり、やはり空き巣等の室内への侵入を許してしまう。
【０００９】
図２４（Ａ）、（Ｂ）に示すように、室外側サッシ７２に取り付けられた樹脂積層ガラス板８の室内側面（クレセント受け６２部分）に金属板９を張り付けることで、突き破り解錠を阻止することもできる。しかし、金属板９を小面積とした場合には、樹脂積層ガラス板８の金属板９の脇の部分に孔を開ければ突き破り解錠がなされてしまう。したがって、金属板９を大面積とせざるをえず、見栄えが悪くなる等の問題がある。
【００１０】
本発明は、上記の問題を解決するために提案されたものであって、突き破り解錠を阻止できるクレセント錠及びクレセント錠の解除規制方法を提供することを目的とする。
【課題を解決するための手段】
【００１１】
本発明のクレセント錠は、引き違いサッシの室内側サッシに取り付けられ、サッシ面に平行な水平軸を中心に回動して施錠時に垂直上方または垂直下方を向くハンドルを有するクレセント錠本体と、前記引き違いサッシの室内側サッシに固定され、前記クレセント錠本体を軸支する基台と、前記引き違いサッシの室外側サッシに取り付けられ、施錠時に前記クレセント錠本体のクレセント爪が係合されるクレセント受けと、施錠時に前記ハンドルの室外側に位置するように、前記室外側サッシ、前記室内側サッシ、前記基台の内の何れか一つに設けられた室外側からの突き破り解錠を阻止するための突き破り阻止板とを備えているものである。
【００１２】
また、本発明のクレセント錠は、引き違いサッシの室内側サッシに取り付けられ、サッシ面に平行な水平軸を中心に回動して施錠時に垂直上方または垂直下方を向くハンドルを有するクレセント錠本体と、前記引き違いサッシの室内側サッシに固定され、前記クレセント錠本体を軸支する基台と、前記引き違いサッシの室外側サッシに取り付けられ、施錠時に前記クレセント錠本体のクレセント爪が係合されるクレセント受けと、
施錠時に前記ハンドルの室外側に位置するように前記クレセント受けと一体的に設けられた室外側からの突き破り解錠を阻止するための突き破り阻止板とを備えているものである。
【００１３】
また、本発明のクレセント錠は、引き違いサッシの室内側サッシに取り付けられ、サッシ面に平行な水平軸を中心に回動して施錠時に垂直上方または垂直下方を向くハンドルを有するクレセント錠本体と、前記引き違いサッシの室外側サッシに取り付けられ、施錠時に前記クレセント錠本体のクレセント爪が係合されるクレセント受けと、施錠時に前記ハンドルの室外側に位置するように前記室内側サッシに取り付けられ、室外側からの突き破り解錠を阻止する突き破り阻止筒体と、前記突き破り阻止筒体が取り付けられ、前記突き破り阻止筒体を上下方向に摺動させる筒体摺動部材とを備えているものである。
【００１４】
また、本発明のクレセント錠の解除規制方法は、引き違いサッシの室内側サッシに取り付けられ、サッシ面に平行な水平軸を中心に回動して施錠時に垂直上方または垂直下方を向くハンドルを有するクレセント錠本体と、前記引き違いサッシの室外側サッシに取り付けられ、施錠時に前記クレセント錠本体が係合されるクレセント受けとを備えたクレセント錠であって、前記ハンドルは、施錠時に当該ハンドル先端を押し下げて開錠方向に付勢したときは前記クレセント錠本体とともに回動し、前記係合を解除し、施錠時に当該ハンドル先端を押し下げずに開錠方向に付勢したときは当該ハンドルが根元から屈折し、前記係合を解除しないものである。
【発明の効果】
【００１５】
本発明によれば、突き破り解錠を確実、かつ簡単な構成・機構により阻止できる。
【発明を実施するための最良の形態】
【００１６】
図１から図３により本発明の第１実施形態を説明する。図１の斜視図に示すように、クレセント錠１は、引き違いサッシ（本実施形態では引き違いドア７）に設けられている。
【００１７】
図１のα部に対応する部分図を図２（Ａ）、（Ｂ）に示す。図２（Ａ）、（Ｂ）に示すように、クレセント錠１は、クレセント錠本体１１と、クレセント受け１２と、基台１３と、突き破り阻止板１４とを備えている。
【００１８】
クレセント錠本体１１は、引き違いドア７（図１参照）の室内側サッシ７１に取り付けられている。具体的には、クレセント錠本体１１は、引き違いドア７を閉じた状態で、相互に重なり合う室内側サッシ７１の縦枠体７１１と室外側サッシ７２の縦枠体７２１のうち、縦枠体７１１の端面に取り付けられている。また、クレセント受け１２は、引き違いドア７の室外側サッシ７２に（具体的には、縦枠体７２１に）取り付けられている。
【００１９】
クレセント錠本体１１は、サッシ面（サッシを構成する枠面に平行な面）に水平軸Ｌを中心に回動して施錠時に垂直上方を向くハンドル１１１を有している。さらに、クレセント錠本体１１は、ハンドル１１１が垂直上方を向くに従って、クレセント受け１２に係合されるクレセント爪１１２を有している。室内側サッシ７１および室外側サッシ７２には、樹脂中間層を持ち表裏面層がガラス板により形成された樹脂積層ガラス板８が取り付けられている。この樹脂積層ガラス板８は、図２（Ｂ）に示すように、両面側のガラス層ＧＬ、ＧＬと樹脂中間層ＰＬとを有する（樹脂中間層ＰＬは、例えば、ガラス層ＧＬとガラス層ＧＬとの間に位置する。）。
【００２０】
基台１３は、引き違いドア７の室内側サッシ７１に（具体的には、縦枠体７１１の端面に）固定され、クレセント錠本体１１を軸支している。なお、基台１３には、ロック用のスライドボタン１３１が設けられており、このスライドボタン１３１をロック側にスライドさせることにより、施錠時にハンドル１１１の回動がロックされる。
【００２１】
突き破り阻止板１４は、施錠時にハンドル１１１の室外側に位置するように室内側サッシ７１に取り付けられ、室外側からの突き破り解錠を阻止することができる。
【００２２】
本実施形態では、クレセント錠本体１１は施錠位置でハンドル１１１が垂直上方を向くように構成されているが、施錠位置でハンドル１１１が垂直下方を向くように構成することもできる。また、本実施形態では、クレセント錠１を引き違いドア７に取り付けた場合を説明したが、引き違い窓に取り付けることもできる。
【００２３】
本実施形態では、図３に示すように、空き巣等が樹脂積層ガラス板８を割り、ドライバー，千枚通し等の先が尖ったもの（図３ではドライバーＫ）により樹脂中間層ＰＬに孔を開けても、突き破り阻止板１４がハンドル１１１をガードしているので、突き破りによりクレセント錠１が解錠されることを防ぐことができる。したがって、空き巣等の室内への侵入を防止できる。
【００２４】
なお、本実施形態の突き破り阻止板１４は、断面Ｌ字型であるが、断面Ｌ字型の隅部に断面三角形状のリブ（図示せず）を設け、補強するようにようにしても良いし、また、断面Ｌ字型に変えて断面逆Ｔ字形状（図示せず）の突き破り阻止板１４としても良い。
【００２５】
また、本実施形態の突き破り阻止板１４を室内側サッシ７１の縦枠体７１１に取り付けるようにしたが、図４（Ａ）、（Ｂ）に示すように、突き破り阻止板１４１を室内側サッシ７１の縦枠体７１１と一体に形成しても良いし（本発明の第２実施形態）、
また、図５（Ａ）、（Ｂ）、（Ｃ）、（Ｄ）及び図６に示すように、突き破り阻止板１４２を室外側サッシ７２の縦枠体７２１にネジ等の取付部材（図示せず）を介して取り付けても良いし、また、突き破り阻止板１４２を室外側サッシ７２の縦枠体７２１と一体に形成しても良いし（本発明の第３実施形態）、
また、図７（Ａ）、（Ｂ）、（Ｃ）、（Ｄ）及び図８に示すように、突き破り阻止板１４２とクレセント受け１２とを一体的に設けてネジ等の取付部材（図示せず）を介して取り付けても良いし、また、一体的に設けた突き破り阻止板１４２とクレセント受け１２とを室外側サッシ７２の縦枠体７２１と一体に形成しても良い（本発明の第４実施形態）。
要するに、突き破り阻止板１４、１４１、１４２は、施錠時にハンドル１１１の室外側に位置するように、室外側サッシ７２、室内側サッシ７１、基台２３の内の何れか一つに設けられるようにすれば良く、特に、室外側からの突き破り解錠を阻止するための突き破り阻止板１４２とクレセント受け１２とを一体的に設けると良い。
【００２６】
図９から図１２により本発明の第５実施形態を説明する。図９の斜視図に示すように、クレセント錠２は、引き違いサッシ（本実施形態では引き違いドア７）に設けられている。図９のα部に対応する部分図を図１０（Ａ），（Ｂ）に示す。また、図１１（Ａ），（Ｂ）にクレセント錠２の機構を示す。なお、図１１（Ａ）は後述するクレセント錠本体２１の構造を、図１１（B）は後述するクレセント受け２２の構造を示している。
【００２７】
図１０（Ａ），（Ｂ）および図１１（Ａ），（Ｂ）に示すように、クレセント錠２は、引き違いサッシ（本実施形態では引き違いドア７）に設けられており、クレセント錠２は、クレセント錠本体２１と、クレセント受け２２（図１１（Ｂ）参照）と、基台２３と、突き破り阻止板２４とを備えている。
【００２８】
クレセント錠本体２１は、図１１（Ａ）に示すように引き違いドア７（図９参照）の室内側サッシ７１に設けられている。具体的には、クレセント錠本体２１は基台２３に取り付けられており、基台２３は、ドア７を閉じた状態で、相互に重なり合う室内側サッシ７１の縦枠体７１１と室外側サッシ７２の縦枠体７２１の、縦枠体７１１の端面に取り付けられる。クレセント錠本体２１は、ハンドル２１１と、クレセント爪２１２とを有している。
【００２９】
ハンドル２１１は、図１０（Ａ）に示すようにサッシ面に平行な水平軸Ｌを中心に回動して施錠時に垂直上方を向く。クレセント爪２１２は、図１１（Ａ）に示すように、引き違いドア７の室内側サッシ７１（具体的には、縦枠体７１１）の内部に取り付けられ、ハンドル２１１が上方を向くに従って、後述するようにクレセント受け２２に係合される。
【００３０】
基台２３は、図１０（Ａ），（B）に示すように、室内側サッシ７１に固定（具体的には、縦枠体７１１の端面に固定）されている。基台２３には、ロック用のスライドボタン２３１が設けられており、このスライドボタン２３１をロック側にスライドさせることにより、施錠時にハンドル２１１の回動がロックされる。
【００３１】
室内側サッシ７１および室外側サッシ７２には、樹脂積層ガラス板８が取り付けられている。
クレセント受け２２は、図１１（B）に示すように、引き違いドア７の室外側サッシ７２（具体的には、縦枠体７１２）の表面にクレセント爪２１２が係合する孔として形成され、施錠時には上記したようにクレセント爪２１２が係合する。突き破り阻止板２４は、図１０（Ａ），（Ｂ）および図１１（Ａ）に示すように、施錠時にハンドル２１１の室外側に位置するように基台２３に一体となって取り付けられ、室外側からの突き破り解錠を阻止する。
【００３２】
なお、本実施形態では、クレセント錠本体２１は施錠位置でハンドル２１１が垂直上方を向くように構成されているが、施錠位置でハンドル２１１が垂直下方を向くように構成することもできる。また、本実施形態では、クレセント錠２を引き違いドア７に取り付けたが、引き違い窓に取り付けることもできる。
【００３３】
本実施形態では、図１２に示すように、空き巣等が樹脂積層ガラス板８を割り、たとえばドライバーＫにより樹脂中間層ＰＬに孔を開けても、突き破り阻止板２４がハンドル２１１をガードしているので、突き破りによりクレセント錠２が解錠されることを防ぐ。したがって、空き巣等の室内への侵入を防止できる。
【００３４】
図１３から図１５により本発明の第６実施形態を説明する。図１３の斜視図に示すように、クレセント錠３は、引き違いサッシ（本実施形態では引き違いドア７）に設けられている。
【００３５】
図１３のα部に対応する部分図を図１４（Ａ）、（Ｂ）に示す。図１４（Ａ）、（Ｂ）に示すように、クレセント錠３は、引き違いサッシ（本実施形態では引き違いドア７）に設けられている。
【００３６】
図１４（Ａ）、（Ｂ）に示すように、クレセント錠３は、クレセント錠本体３１と、クレセント受け３２と、基台３３と、突き破り阻止筒体３４と、筒体摺動部材３５とを備えている。クレセント錠３（クレセント錠本体３１、クレセント受け３２および基台３３）は、第１実施形態（図１参照）のクレセント錠１（クレセント錠本体１１、クレセント受け１２および基台１３）と同じである。また、実施形態では、クレセント錠本体３１が有するハンドル、クレセント爪を、符号３１１、３１２で示し、ロック用のスライドボタンを符号３３１で示してある。本実施形態においても、クレセント錠本体３１は、引き違いドア７の室内側サッシ７１に設けられており、室内側サッシ７１および室外側サッシ７２には、樹脂積層ガラス板８が取り付けられている。
【００３７】
筒体摺動部材３５は、室内側サッシ７１の基台３３よりも上の部分に取り付けられている。図１４（Ｃ）に示すように、突き破り阻止筒体３４は、摺動ピン３６により筒体摺動部材３５上を上下方向に摺動することができる。施錠時には、突き破り阻止筒体３４が、下方に移動することで、上に向いたハンドル３１１を包み込むことができ、室外側からの突き破り解錠を阻止することができる。解錠するときには、図１５（Ａ）に示すように、突き破り阻止筒体３４を上方に移動させてハンドル３１１の操作を可能にすることができる。
【００３８】
本実施形態では、空き巣等が樹脂積層ガラス板８を割り、図１５（Ｂ）に示すように、たとえばドライバーＫにより樹脂中間層ＰＬに孔を開けても、突き破り阻止筒体３４がハンドル３１１をガードしているので、突き破りによりクレセント錠３が解錠されることはない。これにより、空き巣等の室内への侵入を防止できる。なお、上記した突き破り阻止筒体３４および筒体摺動部材３５を、第２実施形態で示したような開閉方式のクレセント錠にも適用することもできる。
【００３９】
図１６から図２０により本発明の第７実施形態を説明する。図１６に示すように、クレセント錠４は、引き違いサッシ（本実施形態では引き違いドア７）に設けられている。図１７に、クレセント錠４の外観図を示す。
【００４０】
クレセント錠４は、クレセント錠本体４１（図１８（Ａ）参照）と、クレセント受け４２（図１８（Ｂ）参照）と、基台４３とを備えている。クレセント錠本体４１は、図１８（Ａ）に示すように、ハンドル４１１と、クレセント爪４１２とを有している。クレセント爪４１２は、引き違いドア７（図１６参照）の室内側サッシ７１の内部に設けられている。具体的には、基台４３は、室内側サッシ７１の縦枠体７１１の端面に取り付けられ、基台４３にクレセント錠本体４１（すなわち、ハンドル４１１と、クレセント爪４１２）が取り付けられている。
【００４１】
ハンドル４１１は、図１７、図１８（Ｂ）に示すように、サッシ面に平行な水平軸Ｌを中心に回動して施錠時に垂直上方を向く。ハンドル４１１は、軸部４１１１と棒状部４１１２（上端をＢ１で、下端をＢ２で示す）とからなる。図１７に示すように、軸部４１１１には水平軸Ｌに垂直に溝Ｇが形成されている。軸部４１１１には、溝Ｇに連通するピン孔Ｈが形成されている。ピン孔Ｈは、水平軸Ｌを中心とした半径方向のスリットであり、水平軸Ｌを含まない部位に形成されている。また、図１７には表れていないが、ピン孔Ｈは軸部４１１１の基台４３側の面にも形成されている。
【００４２】
溝Ｇは、後述する図１９（Ａ），（Ｂ）および図２０（Ａ），（Ｂ）にも示すように、棒状部４１１２の下端Ｂ２が装着される幅のＵ字部ＣＵと、棒状部４１１２が介在できる空間を形成する空洞部ＣＳとから構成されている。また、棒状部４１１２には、ピン孔Ｈに挿通されるピンＰを備えている。ピンＰはスプリングＱにより棒状部４１１２を上方に付勢している。
【００４３】
図１９（Ａ）に示すようにピンＰがピン孔Ｈの上端に位置する場合において、棒状部４１１２がピンＰを中心に解錠する向きに回動したとする。この場合には、図１９（Ｂ）に示すように、棒状部４１１２の下端Ｂ２はＵ字部ＣＵに挿入されていないので、棒状部４１１２は空回りし、クレセント錠本体４１（図１８（Ａ）参照）は回転しない。
【００４４】
図２０（Ａ）に示すように、ピンＰがピン孔Ｈの下端に位置する場合において、棒状部４１１２がピンＰを中心に解錠する向きに回動したとする。この場合には、図２０（Ｂ）に示すように棒状部４１１２の下端Ｂ２がＵ字部ＣＵに挿入されているので、クレセント錠本体４１（図１８（Ａ）参照）はハンドル４１１とともに回転する。
【００４５】
クレセント爪４１２は、図１８（Ａ）に示すように、引き違いドア７の室内側サッシ７１（具体的には、縦枠体７１１）の内部に取り付けられ、ハンドル４１１が上方を向くに従って、後述するようにクレセント受け４２（図１８（Ｂ）参照）に係合される。
【００４６】
室内側サッシ７１および室外側サッシ７２には、樹脂積層ガラス板８が板取り付けられている。クレセント受け４２は、図１７（B）に示すように、引き違いドア７の室外側サッシ７２（具体的には、縦枠体７１２）の表面にクレセント爪４１１が係合する孔として形成され、施錠時には上記したようにクレセント錠本体４１のクレセント爪４１２が係合する。なお、本実施形態では、クレセント錠４を引き違いドア７に取り付けたが、引き違い窓に取り付けることもできる。
【００４７】
クレセント錠４の通常の施錠状態を図１９（Ａ）に示す。空き巣等が樹脂積層ガラス板８を割り、ドライバー、千枚通し等の先が尖ったものにより樹脂中間層ＰＬに孔を開け、ドライバー、千枚通し等の先端によりハンドル４１１を押しても図１９（Ｂ）に示すように、ハンドル４１１は屈曲（空回り）する。これにより、突き破りによりクレセント錠４が解錠されることを防ぐ。したがって、空き巣等の室内への侵入を防止できる。
【００４８】
一方、通常の状態で、施錠状態から解錠状態にするときは、ハンドル４１１の上端Ｂ１には、図２０（Ａ）に示すように下向きの力が加えられるので、ハンドル４１１は、図２０（Ｂ）に示すようにクレセント錠本体４１ともに回転する。つまり、クレセント錠の解除規制方法は、ハンドル４１１は、施錠時にハンドル４１１先端を押し下げて開錠方向に付勢したときはクレセント錠本体４１とともに回動し、前記係合を解除し、施錠時にハンドル４１１先端を押し下げずに開錠方向に付勢したときはハンドル４１１が根元から屈折し、前記係合を解除しないようにしている。
【００４９】
なお、本実施形態では、Ｕ字部ＣＵの下端には溝ａ１が切り込まれ、棒状部４１１２の下端Ｂ２にはこの微小溝ａ１に突起ａ２が形成されいる。棒状部４１１２を押し下げたときに、突起ａ２が微小溝ａ１に係止されるので、解錠に際して棒状部４１１２がＵ字部ＣＵから飛び出てしまうことはない。
【図面の簡単な説明】
【００５０】
【図１】本発明のクレセント錠の第１実施形態を示す斜視図である。
【図２】（Ａ）は図１のα部に対応する部分斜視図、（Ｂ）は同じく部分断面図である。
【図３】第１実施形態の効果の説明図であり、ドライバーにより樹脂中間層に孔を開けても、突き破り阻止板がハンドルをガードする様子を示す図である。
【図４】（Ａ）は本発明のクレセント錠の第２実施形態を示す斜視図であり、（Ｂ）は部分断面図である。
【図５】（Ａ）は本発明のクレセント錠の第３実施形態を示す斜視図であり、（Ｂ）は部分断面図であり、（Ｃ）は図５（Ａ）のクレセント錠の施錠前の状態を示す斜視図であり、（Ｄ）は図５（Ａ）のクレセント錠の斜視図である。
【図６】第３実施形態（図５）の効果の説明図であり、ドライバーにより樹脂中間層に孔を開けても、突き破り阻止板がハンドルをガードする様子を示す図である。
【図７】（Ａ）は本発明のクレセント錠の第４実施形態を示す斜視図であり、（Ｂ）は部分断面図であり、（Ｃ）は図７（Ａ）のクレセント錠の施錠前の状態を示す斜視図であり、（Ｄ）は図７（Ａ）のクレセント錠の斜視図である。
【図８】第４実施形態（図７）の効果の説明図であり、ドライバーにより樹脂中間層に孔を開けても、突き破り阻止板がハンドルをガードする様子を示す図である。
【図９】本発明のクレセント錠の第５実施形態を示す斜視図である。
【図１０】（Ａ）は図９のα部に対応する部分斜視図、（Ｂ）は同じく部分断面図である。
【図１１】第５実施形態のクレセント錠の機構を示す図であり、（Ａ）はクレセント錠本体の構造を示す図、（B）は後述するクレセント受けの構造を示す図である。
【図１２】第５実施形態の効果の説明図であり、ドライバーにより樹脂中間層に孔を開けても、突き破り阻止板がハンドルをガードする様子を示す図である。
【図１３】本発明のクレセント錠の第６実施形態を示す斜視図である。
【図１４】（Ａ）は図１３のα部に対応する部分斜視図、（Ｂ）は同じく部分断面図、（Ｃ）は第６実施形態における筒体摺動部材の摺動機構を示す図である。
【図１５】（Ａ）は突き破り阻止筒体を情報に摺動させた様子を示す図、（Ｂ）は第６実施形態の効果の説明図でありドライバーにより樹脂中間層に孔を開けても、突き破り阻止筒体がハンドルをガードする様子を示す図である。
【図１６】本発明のクレセント錠の第７実施形態を示す斜視図である。
【図１７】第７実施形態のクレセント錠の拡大図である。
【図１８】第７実施形態のクレセント錠の機構を示す図であり、（Ａ）はクレセント錠本体の構造を示す図、（B）はクレセント受けの構造を示す図である。
【図１９】（Ａ）、（Ｂ）はピンがピン孔の上端に位置する場合のクレセント錠の動作状態を示す図である。
【図２０】（Ａ）、（Ｂ）はピンがピン孔の下端に位置する場合のクレセント錠の動作状態を示す図である。
【図２１】従来のクレセント錠の使用状態を示す説明図である。
【図２２】従来のクレセント錠の説明図である。
【図２３】（Ａ）は従来のクレセント錠の施錠状態を示す説明図、（Ｂ）は従来のクレセント錠の突き破りによる解錠の説明図である。
【図２４】（Ａ）、（Ｂ）はクレセント受け部分に金属板を張り付けることで、突き破り解錠を防止した従来技術の説明図である。
【符号の説明】
【００５１】
１，２，３，４  クレセント錠
７  引き違いドア
８  樹脂積層ガラス板
１１，２１，３１，４１  クレセント錠本体
１２，２２，３２，４２  クレセント受け
１３，２３，３３，４３  基台
１４，２４  突き破り阻止板
３４  突き破り阻止筒体
３５  筒体摺動部材
３６  摺動ピン
７１  室内側サッシ
７２  室外側サッシ
１１１，２１１，３１１，４１１  ハンドル
１１２，２１２，３１２，４１２  クレセント爪
１３１，２３１，３３１  スライドボタン
７１１  室内側サッシの縦枠体
７２１  室外側サッシの縦枠体
４１１１  軸部
４１１２  棒状部
Ｇ  溝
Ｈ  ピン孔
Ｐ  ピン
Ｑ  スプリング
【図１】
2006083599.tif 000003
【図２】
2006083599.tif 000004
【図３】
2006083599.tif 000005
【図４】
2006083599.tif 000006
【図５】
2006083599.tif 000007
【図６】
2006083599.tif 000008
【図７】
2006083599.tif 000009
【図８】
2006083599.tif 000010
【図９】
2006083599.tif 000011
【図１０】
2006083599.tif 000012
【図１１】
2006083599.tif 000013
【図１２】
2006083599.tif 000014
【図１３】
2006083599.tif 000015
【図１４】
2006083599.tif 000016
【図１５】
2006083599.tif 000017
【図１６】
2006083599.tif 000018
【図１７】
2006083599.tif 000019
【図１８】
2006083599.tif 000020
【図１９】
2006083599.tif 000021
【図２０】
2006083599.tif 000022
【図２１】
2006083599.tif 000023
【図２２】
2006083599.tif 000024
【図２３】
2006083599.tif 000025
【図２４】
2006083599.tif 000026